(57)【要約】【課題】隣接画素間の混色を防ぎつつ、同一画素内の色分離を防いで画像を目視した際の画質を向上させることができる表面フィルム及びカラーディスプレイを提供すること。【解決手段】複数のサブピクセルにより１画素が形成されるカラーディスプレイの表面に配置される表面フィルム４であって、光の入射側表面に画素毎に凸面部５が形成されるとともに、凸面部５により光が集光される位置に形成される中間拡散層７及び光の出射側表面に形成される表面拡散層８とを形成する。【選択図】図１
2007199510.tif 000002
【特許請求の範囲】
【請求項１】
複数のサブピクセルにより１画素が形成されるカラーディスプレイの表面に配置される表面フィルムであって、
光の入射側表面に画素毎に凸面部が形成されるとともに、
前記凸面部により光が集光される位置に形成される中間拡散層及び光の出射側表面に形成される表面拡散層とを備えることを特徴とする表面フィルム。
【請求項２】
前記表面拡散層は、前記中間拡散層から出射した光が前記表面拡散層に入射する際、画素の大きさに拡散される位置に配設されていることを特徴とする請求項１に記載の表面フィルム。
【請求項３】
隣接画素との間に光吸収部が配設されることを特徴とする請求項１又は請求項２に記載の表面フィルム。
【請求項４】
前記中間拡散層から出射される光を平行にする凹面部が配設されることを特徴とする請求項１〜請求項３のいずれか一項に記載の表面フィルム。
【請求項５】
請求項１〜請求項４のいずれか一項に記載の表面フィルムが表面に配置されることを特徴とするカラーディスプレイ。
【請求項６】
前記表面フィルムへの出射光が略平行光であるバックライトを備えることを特徴とする請求項５に記載のカラーディスプレイ。
【請求項７】
前記表面フィルムは、液晶ディスプレイ、プラズマディスプレイ、有機ＥＬディスプレイのいずれかに適用されることを特徴とする請求項５又は請求項６に記載のカラーディスプレイ。
【発明の詳細な説明】
【技術分野】
【０００１】
本発明は反射フィルム及びカラーディスプレイに関し、特に光の屈折に関する表面フィルム及びカラーディスプレイに関する。
【背景技術】
【０００２】
ＣＲＴディスプレイに代わり、液晶ディスプレイの需要が近年益々高まっている。かかるカラー液晶ディスプレイの一例として、バックライトの前方に、ＴＦＴなどのスイッチング素子を含むＴＦＴ側基板モジュールを備え、この基板モジュールと、カラーフィルタを含み、かつ、該基板モジュールの対電極となる対向電極側基板モジュールとの間に液晶層を設ける構成が挙げられる。この液晶ディスプレイでは、スイッチング素子の作動により各画素毎に光透過状態と光遮断状態が作り出されて、電気エネルギーから変換された光がカラーフィルタを透過することで前方にてカラー画像が視認される。
【０００３】
そして、カラーフィルタでは、色の３原色となる青（Ｂ）、緑（Ｇ）、赤（Ｒ）の着色層が各画素内に一つずつ配置されており、各着色層への光の照射を調整してこれらを混色させることで様々な色の発色を可能としている。また、これら着色層間の境界部分には、表示コントラストや発色効果を高めるなど視認性を向上させるために黒色層が設けられていた。
【０００４】
しかしながら、このようなカラーモニタである液晶ディスプレイにおいて、モノクロ表示をさせると、至近距離で画面を見た場合、隣接画素を構成する光の混色や、同一画素内での色分離を生じさせたり、黒色層を目立たせてしまうなど、画像ノイズを生じさせていた。
【０００５】
これに対し、特許文献１では、液晶表示画面を形成する画素毎に、各画素を形成する３つの原色光出射部からの各光線束を収斂するように形成されたフィルタパネル、例えば、各画素毎に両面が凹レンズ状に形成されたメニスカス凹レンズを液晶表示画面の前面に設ける技術が開示されている。
【０００６】
或いは、特許文献２では、１画素を形成する３色のＬＥＤのうち、２色のＬＥＤの各ペレットを樹脂レンズの光軸の外側に設け、各色のＬＥＤから放射される主光線をシリンドリカル凹レンズで屈折させて平行にさせた後ディスプレイ表面で拡散させるように構成させたり、あるいは、１画素を形成する３色のＬＥＤから平行に放射された主光線を凸レンズで収斂させてからシリンドリカルレンズで平行にさせ、ディスプレイ表面で拡散させるように構成させている技術が開示されている。
【特許文献１】特開平５−１１２４３号公報
【特許文献２】特開平８−２０２２９２号公報
【発明の開示】
【発明が解決しようとする課題】
【０００７】
しかしながら、何れの技術を用いたとしても、原色光出射部あるいはＬＥＤから放射された３色の光線は、これら各光源の実際のピッチより収束されてディスプレイ表面に投影される構成となっているので、視認した際、画素間の隙間が大きくなり、画素格子が逆に目立ってしまう構成となっていた。
【０００８】
そこで、本発明は、隣接画素間の混色を防ぎつつ、同一画素内の色分離を防いで画像を目視した際の画質を向上させることができる表面フィルム及びカラーディスプレイを提供することを目的とする。
【課題を解決するための手段】
【０００９】
前述の問題を解決するために、請求項１に記載の表面フィルムは、
複数のサブピクセルにより１画素が形成されるカラーディスプレイの表面に配置される表面フィルムであって、
光の入射側表面に画素毎に凸面部が形成されるとともに、
前記凸面部により光が集光される位置に形成される中間拡散層及び光の出射側表面に形成される表面拡散層とを備えることを特徴とする。
【００１０】
請求項１に記載の発明によれば、かかる表面フィルムをカラーディスプレイに適用させた場合、カラーディスプレイの出射側表面に凸面部を配置させることで、カラーディスプレイのバックライトから出射された光は、カラーフィルタを透過した後、画素毎に形成された凸面部を介して表面フィルムに入射して、凸面部により集光される。そして、この集光された光を中間拡散層で拡散させた後、表面拡散層でさらに拡散させて表面フィルムから出射させることができる。
【００１１】
請求項２に記載の発明は、請求項１に記載の表面フィルムにおいて、
前記表面拡散層は、前記中間拡散層から出射した光が前記表面拡散層に入射する際、画素の大きさに拡散される位置に配設されていることを特徴とする。
【００１２】
請求項２に記載の発明によれば、表面拡散層は、中間拡散層から出射した光が表面拡散層に入射する際、画素の大きさに拡散される位置に配設されているので、表面フィルムから画素と同じ大きさの光を出射させることが可能となる。
【００１３】
請求項３に記載の発明は、請求項１又は請求項２に記載の表面フィルムにおいて、
隣接画素との間に光吸収部が配設されることを特徴とする。
【００１４】
請求項３に記載の発明によれば、隣接画素との間に光吸収部が存在するので、中間拡散層で光が拡散されても、隣接画素へ光が入射するのを防止することができる。
【００１５】
請求項４に記載の発明は、請求項１〜請求項３のいずれか一項に記載の表面フィルムにおいて、
前記中間拡散層から出射される光を略平行にする凹面部が配設されることを特徴とする。
【００１６】
請求項４に記載の発明によれば、中間拡散層で拡散させた光を凹面部で略平行光にすることができる。
【００１７】
請求項５に記載の発明は、カラーディスプレイであって、
請求項１〜請求項４のいずれか一項に記載の表面フィルムが表面に配置されることを特徴とする。
【００１８】
請求項５に記載の発明によれば、カラーディスプレイは、請求項１〜請求項４と同様の作用を得ることができ、カラーフィルタを透過した後、凸面部を介して表面フィルムを透過させてバックライトから出射された光を表面フィルム内で画素毎に集光させることができる。
【００１９】
請求項６に記載の発明は、請求項５に記載のカラーディスプレイにおいて、
前記表面フィルムへの出射光が略平行光であるバックライトを備えることを特徴とする。
【００２０】
請求項６に記載の発明によれば、表面フィルムへの入射光を略平行光とすることができるので、カラーフィルタから表面フィルムまでの間に液晶パネルなど様々な構成物を配置させた場合であっても、表面フィルムへの出射光を略平行光にすることができる。
【００２１】
請求項７に記載の発明は、請求項５又は請求項６に記載のカラーディスプレイにおいて、
前記表面フィルムは、液晶ディスプレイ、プラズマディスプレイ、有機ＥＬディスプレイのいずれかに適用されることを特徴とする。
【００２２】
請求項７に記載の発明によれば、表面フィルムは、液晶ディスプレイ、プラズマディスプレイ、有機ＥＬディスプレイのいずれかに適用される。
【発明の効果】
【００２３】
請求項１に記載の発明によれば、表面フィルムは、バックライトから出射された光を表面フィルム内で各画素毎に混合させた後、拡散させて出射させるので、同一画素内の色分離を防ぎつつ、隣接画素に対応する表面フィルム内に光が入射するのを防いでおり、隣接画素間の混色を防いで画像を目視した際の画質を向上させることができる。
【００２４】
請求項２に記載の発明によれば、画素の大きさと、表面フィルムから出射される光の範囲を同じ大きさにすることができ、画素間の隙間が拡大することがなく、画像を目視した際の画質を向上させることができる。
【００２５】
請求項３に記載の発明によれば、隣接画素間の混色を防いで画像を目視した際の画質を向上させることができる。
【００２６】
請求項４に記載の発明によれば、表面フィルムに入射された光を凹面部で略平行光に屈折させて表面拡散層に進行させることができるので、同一画素内の光を均一にすることができ、画像を目視した際の画質を向上させることができる。
【００２７】
請求項５に記載の発明によれば、請求項１〜請求項４と同様の効果を得ることができ、隣接画素間の混色を防ぎつつ、同一画素内の色分離を防いで画像を目視した際の画質を向上させることができる。
【００２８】
請求項６に記載の発明によれば、カラーフィルタと、表面フィルムとが近接しない場合であっても、隣接画素間の混色を防ぎつつ、同一画素内の色分離を防いで画像を目視した際の画質を向上させることができる。
【００２９】
請求項７に記載の発明によれば、カラーディスプレイとして液晶ディスプレイ、プラズマディスプレイ、有機ＥＬディスプレイを使用した場合においても、同一画素内における色分離を防止するとともに、隣接画素内への光漏れによる変色を防止して、カラー表示を適切に行うことができる。
【発明を実施するための最良の形態】
【００３０】
以下、本発明の実施形態について、図１〜図４を参照しながら説明する。
【００３１】
（第１実施形態）
まず、本発明の第１実施形態について、図１を参照しながら説明する。
図１は、本発明に係る表面フィルムが適用された本発明に係るカラー液晶ディスプレイの一実施形態を示したものである。
【００３２】
図１に示すように本実施形態におけるカラー液晶ディスプレイ１００は、液晶パネル１を備えており、液晶パネル１には、偏光板、ガラス基板、透明電極、配向膜、液晶層、配向膜、透明電極が順に層状に形成されたパネル層１ａが備えられている。パネル層１ａの表面のうち、透明電極が形成されている側の表面には、カラーフィルタ２が備えられている。
カラーフィルタ２には、支持部材２ａを介して青（Ｂ）、緑（Ｇ）、赤（Ｒ）の各色のサブピクセル２ｂ，２ｂ，２ｂが順に配列されており、これら３色のサブピクセル２ｂを一組として一画素が構成されている。支持部材２ａには、各画素を囲うように格子状の黒色境界線が形成されている。
カラーフィルタ２のパネル層１ａが形成されていない側の表面には、ガラス基板、偏光板が順に層状に形成されたパネル層１ｂが備えられている。
液晶パネル１をこのように形成させることにより、液晶パネル１の内部にガラス基板により挟持されたカラーフィルタ２を配置させる構成となっている。
【００３３】
液晶パネル１のパネル層１ａと対向する表面には、液晶パネル１に向かって光を出射するバックライト３が配設されており、バックライト３は、液晶パネル１を透過した光が略平行光となるように出射可能に構成されている。これは、画像表示に際して、バックライト３から出射された光は、カラーフィルタ２を透過した後、液晶パネル１を透過して結像されたものを視認されるが、その際、カラーフィルタ２の特定の画素に対応する領域を透過した光が、後述する表面フィルム４の入射面側において画素ピッチ以上に広がって隣接画素を構成する光と混合することを防止するためであり、表面フィルム４への入射段階における隣接画素内への光漏れを防止している。
【００３４】
このようなバックライト３の具体的な構成としては、例えば、サーキュラープリズムシート３ａを使用したベクター放射結合方式のバックライト構成が挙げられる。
【００３５】
サーキュラープリズムシート３ａは、プリズムが同心円状に配置されたシートであり、このシートをそのプリズム面が下面となるように導光板３ｂの上面に配置した上で導光板３ｂの下面に反射シート３ｃを配置する。なお、導光板３ｂの下面には凹凸パターンが形成されており、この導光板３ｂの端部のうち、プリズムの中心となる位置にＬＥＤを配置して、ＬＥＤから光を放射させることで、導光板３ｂの端面から入射された光は導光板３ｂの上下面で全反射されながら、ＬＥＤを中心に放射状かつ直線的に導光され、凹凸パターンにより入射光の角度を変化させる。そして、導光板３ｂへの入射角が、その臨界角よりも小さくなると、導光板３ｂの上面から斜め方向に光が出射され、この出射光が下面プリズムで屈折して一定方向に指向されることにより、略平行光が出射される。これより、バックライト３は、略平行光を出射することが可能なバックライトとして機能して解析的な光学設計が可能となり、出射光の均一性や出射効率など出射光の指向性プロファイルの最適化を容易に検討することができ、出射光の指向性を狭めた平行光を出射させることが可能になる。
【００３６】
ここで、バックライト３の略平行性について定義すると、バックライト３の出射光の略平行性の条件としては、出射光の拡がり半値角をαとすると、α＜θの拡がり角をもつ出射光を略平行光とする。
ここで、θは、ｔａｎθ＝Ｌ／Ｈを満たすものである。
（Ｈ：１画素の端部から表面フィルム４に垂線をおろして凸面部５にぶつかる位置までの距離の大きさであり、Ｌ：１画素の端部から直近のサブピクセル２ｂまでの距離の大きさである。）
【００３７】
例えば、サーキュラープリズムシートを使用しない従来のベクター結合型ＬＥＤバックライトでは、出射光の拡がり半値角が約±４０度であるのに対し、このバックライト構成では約±２０〜２５度にまで減らすことができ、従来と比べて略平行光を出射させることができる。
【００３８】
液晶パネル１のパネル層１ｂと対向する表面には、透明板やガラス、ＰＥＴ、アクリル樹脂などにより構成されたシート状の表面フィルム４が配設されている。
【００３９】
表面フィルム４の液晶パネル１との対向面には、液晶パネル１との対向面に対して突出する凸面部５が画素毎に形成されている集光レンズ６が備えられており、凸面部５では各画素毎に表面フィルム４の内部に入射された光を１点に集光させることができるようになっている。集光レンズ６としては、例えば、シリンドリカルレンズなどが挙げられる。また、表面フィルム４内の集光レンズ６を介して光が集光される位置には、中間拡散層７が形成されており、中間拡散層７では集光レンズ６にて集めた光を光の進行方向前方側に対して拡散させるようになっている。また、表面フィルム４の集光レンズ６が形成されている面と反対側表面には、表面拡散層８が形成されており、表面拡散層８では、表面フィルム４内を透過した光を画素範囲内において拡散させるように構成されている。なお、中間拡散層７及び表面拡散層６は、画像のちらつき、色分離を防止するための従来公知の表面シートの適用が可能であり、表面フィルム４は、基板１０に集光レンズ６及び中間拡散層７、表面拡散層８を張り合わせることで形成するようになっている。
【００４０】
なお、本実施形態においては、表面フィルム４側からバックライト３側に向かって目視するようになっている。
【００４１】
次にカラー液晶ディスプレイ１００の作用について説明する。
外部装置等から入力されるなどして、カラー液晶ディスプレイ１００に画像表示を行う旨の信号が出力されると、バックライト３から出射された光は、液晶パネル１内のパネル層１ａを透過した後、カラーフィルタ２内を透過して、カラーフィルタ２内の各サブピクセル２ｂに対応した色の光に変換されてパネル層１ｂに入射する。
【００４２】
すると、パネル層１ｂに入射された光は、各サブピクセル２ｂ毎に略平行光になっており、この状態を維持したままパネル層１ｂを透過する。次いで、パネル層１ｂから出射された光は、凸面部５を介して表面フィルム４に入射し、その形状に応じて屈折して進行し、焦点が結ばれる。そして、この焦点位置には、中間拡散層７が形成されており、前記光は中間拡散層７にて各画素毎に一旦集光された後、その進行方向となる表面拡散層８に向かって拡散される。
【００４３】
つまり、表面フィルム４に入射された光は、凸面部５毎に集光されており、ある凸面部５に対応する表面フィルム４の内部において、当該凸面部５と隣接する凸面部５から入射される光を含め、隣接画素となるサブピクセル２ｂを透過した光の入射を防いで、隣接画素が発する光との混合を防止している。同時に、凸面部５により集光された光は、中間拡散層７にて拡散されており、ある凸面部５に対応する表面フィルム４の内部を透過する光同士を交差させてから一定範囲内に拡散させることができ、同一画素を構成するサブピクセル２ｂを透過した光同士を均一に混合させた状態でカラー画像を表示させており、シャープな画像が視認される。
【００４４】
したがって、本実施形態のカラー液晶ディスプレイ１００によれば、バックライト３から出射された光が、カラーフィルタ２を介して表面フィルム４を透過させる間に隣接画素を構成する光と混合することがなく、かつ、同一画素を構成する光同士を混合させることができ、隣接画素間の混色を防ぎつつ、同一画素内の色分離を防いで画像を目視した際の画質を向上させることができる。
【００４５】
また、集光レンズ６は、比較的入手しやすい部材であり、表面フィルムにスリットを形成させるなど、従来の表面フィルムに新たな加工を施して同様の効果を得る場合に比べ、安価とすることができる。
【００４６】
なお、本実施形態において、略平行光を出射することが可能なバックライト３として、サーキュラープリズムシート３ａを使用したベクター放射結合方式のバックライト構成を説明したが、バックライト３で適用されるＬＥＤの代わりにレーザを用いることで、さらに略平行光を出射することが可能にすることができる。
【００４７】
あるいは、さらに略平行光を出射することが可能な構成としては、拡散光をさらにカットする為のルーパー、すなわち光吸収柱を画素毎に光の進行方向に沿って配置してもよい。ルーパーを使用する例としては、導光板３ｂ内の拡散シートの中にルーパーを挿入すればよい。
【００４８】
この他、バックライト３の構成として、サーキュラープリズムシート３ａを使用する代わりに、バックライト３を構成する導光板３ｂと拡散フィルムとをマイクロレンズ構造を介して一体化させてなる機能複合型導光体を使用することもできる。この導光体にＬＥＤをＬＥＤ１灯式で配置して、当該ＬＥＤから光を放射させることで、出射光の拡がり半値角を約±上下６度、約左右±３度にまで減らすことができ、従来と比べて略平行光を出射させることができる。
【００４９】
また、本実施形態においては、カラーディスプレイの一例として、液晶ディスプレイについて説明したが、複数のサブピクセル２ｂを用いて１画素を表示する構成のディスプレイであればよく、自発光タイプのプラズマディスプレイや有機ＥＬディスプレイなどにおいても適用可能である。
【００５０】
（第２実施形態）
次に、本発明の第２実施形態について、図２を参照しながら説明する。なお、第２実施形態においては、第１実施形態と同様の箇所には同一の符号をつけるとともに、その詳細な説明を省略することとする。
【００５１】
図２に示すように本実施形態におけるカラー液晶ディスプレイ２００は、第１実施形態のカラー液晶ディスプレイ１００において、集光レンズ６をガラスにより形成させ、かつ、中間拡散層７と集光レンズ６の間又は表面拡散層８と基板１０の間に偏光板を設置するなどして表面フィルム４にパネル層１ｂの機能を備えるように変更した液晶パネル１１を備えるものであり、バックライト３１を備えるとともに、このバックライト３１が出射する光の進行方向には、パネル層１ａ、カラーフィルタ２、表面フィルム４１が順次具備されている。ここで、カラーフィルタ２は表面フィルム４１と直近しているため、カラーフィルタ２を透過した光は、すぐに表面フィルム４１に入射され、カラーフィルタ２から表面フィルム４１の入射面に到達するまでの間に光が拡散しにくい構成となっている。したがって、本実施形態のバックライト３１は、略平行光を出射する構成でなくてもよい。また、表面フィルム４１は、基板１０の厚みを調整するなどして表面フィルム４１から出射される１画素分の光の幅が画素ピッチ幅となるように調整される以外は表面フィルム４と同様の構成である。
【００５２】
本実施形態におけるカラー液晶ディスプレイ２００の作用について説明すると、バックライト３１の点灯によりバックライト３１から出射された光は、パネル層１ａを透過した後、カラーフィルタ２を透過する。カラーフィルタ２では、入射光が各サブピクセル２ｂに対応した色の光に変換されており、当該光が表面フィルム４１に入射されて内部を透過した後、表面拡散層８において、カラー画像を目視することが可能となる。
【００５３】
このとき、バックライト３１から出射された光は、カラーフィルタ２の透過直後に表面フィルム４１に入射しており、各サブピクセル２ｂ毎に略サブピクセルサイズの光が表面フィルム４１に入射される。その結果、当該光は、凸面部５により一旦集光されて同一画素を構成する光同士が混合された後、中間拡散層７により拡散されて、表面拡散層８においてさらに拡散されている。また、表面フィルム４１に入射した際の光のピッチと、表面拡散層８で出射される際の光のピッチとが同じ大きさとなるように、基板１０の厚みが調整された表面フィルム４１を備えたので、表面フィルム４１から出射される光をちょうどカラーフィルタ２上の画素ピッチと同じピッチにすることができ、視認した際、画素間の隙間が拡大するのを防止することができる。
【００５４】
したがって、本実施形態のカラー液晶ディスプレイ２００によれば、バックライト３１から出射された光が、カラーフィルタ２を介して表面フィルム４１を透過させる間に隣接画素間の混色を防ぎつつ、同一画素内の色分離を防ぐことができる。また、画素間の隙間が拡大するのを防止することができるので、第１実施形態と比べてさらに、画像を目視した際の画質を向上させることができる。
【００５５】
（第３実施形態）
次に、本発明の第３実施形態について、図３を参照しながら説明する。なお、第３実施形態においては、第２実施形態と同様の箇所には同一の符号をつけるとともに、その詳細な説明を省略することとする。
【００５６】
図３に示すように本実施形態におけるカラー液晶ディスプレイ３００は、光吸収部９が形成された表面フィルム４２を具備する以外は、第２実施形態のカラー液晶ディスプレイ２００と同様の構成である。
【００５７】
表面フィルム４２は、集光レンズ６及び中間拡散層７、表面拡散層８を備えていると共に、表面フィルム４２の光の出射側表面の隣接画素との間には、光の進行方向に沿って矩形状に形成された光吸収部９を備えている。なお、光吸収部９は、光吸収部９で照射された光を吸収させることができる部材であれば、どのようなものでもよく、例えば、光吸収剤を含む色素を基板１０上にインクジェット法にて印刷したり、或いはフィルムの現像で黒色に焼き付けを行ったり、スリットを形成し、該スリット内に光吸収剤を充填するなどして形成することが可能である。また、光吸収部９の形状についても特に限定はなく、図示されるような断面形状が矩形状の光吸収部のほか、断面形状が台形状やＶ字状の光吸収部や、光吸収面が曲面状の光吸収部等であってもよく、表面フィルム４１を光の出射側表面からバックライト３に向かって目視した際の光吸収部９の具体的な配置パターンとしては、各画素をとり囲むように格子状に配置させたパターンや、画素間を区切るようにストライプ状に配置させるパターン等が挙げられる。
【００５８】
このように形成させることにより、本実施形態のカラー液晶ディスプレイ３００において、バックライト３１が点灯されると、バックライト３１から出射された光は、パネル層１ａを透過した後、カラーフィルタ２を透過して表面フィルム４２に入射される。そして、当該光は、中間拡散層７で一旦集光された後、表面拡散層８に向かって拡散される。このとき、表面フィルム４２の表面拡散層８側では、隣接画素との間に光吸収部９が形成されており、表面フィルム４２内で光吸収部９を超えて隣接画素を構成する表面フィルム４２内に光が入射するのを確実に防いでいる。
【００５９】
したがって、本実施形態のカラー液晶ディスプレイ３００によれば、バックライト３１から出射された光が表面フィルム４２内を透過する間に、同一画素を構成する光同士を混合させつつ、画素間の隙間が拡大するのを防止することができる。また、隣接画素を構成する光との混合による隣接画素との混色を確実に防止することができるので、第２実施形態と比べて、画像を目視した際の画質を一層向上させることができる。
【００６０】
（第４実施形態）
次に、本発明の第４実施形態について、図４を参照しながら説明する。なお、第４実施形態においては、第３実施形態と同様の箇所には同一の符号をつけるとともに、その詳細な説明を省略することとする。
【００６１】
図４に示すように、本実施形態におけるカラー液晶ディスプレイ４００は、表面フィルム４３を具備しており、表面フィルム４３は、集光レンズ６及び中間拡散層７、基板１０表面拡散層８を備えている。この表面フィルム４３には、中間拡散層７から出射される光を略平行にする凹面部５１が備えられており、中間拡散層７の光出射側表面の隣接画素との間には、光吸収部９１が備えられている。
【００６２】
なお、表面フィルム４３の形成は、基板１０の表面拡散層８が形成されている面と反対側の面に表面拡散層８に対して凹面部５１が形成された凹レンズを配設させ、画素ピッチ毎に光吸収層９１を形成した後、中間拡散層７を介して基板１０と集光レンズ６とを張り合わせることで形成可能である。また、光吸収部９１の形成方法や形状については光吸収部９と同様である。
【００６３】
このように形成させることにより、本実施形態のカラー液晶ディスプレイ４００において、バックライト３１が点灯されると、バックライト３１から出射された光は、パネル層１ａを透過した後、カラーフィルタ２を透過して表面フィルム４３に入射される。そして、表面フィルム４３に入射された光は、凹面部５１により一旦集光された後、中間拡散層７により表面拡散層８に向かって拡散される。このとき、中間拡散層７から拡散される光は、凹面部５１により表面フィルム４３への入射光に対して略平行光となるように屈折されており、凹面部５１から表面拡散層８に向かって進行する光は、画素中央部と画素端部においてその指向性を均一にしている。また、同時に、中間拡散層７の光出射側の隣接画素との間に形成された光吸収部９１により表面フィルム４３内で光吸収部９１を超えて隣接画素を構成する表面フィルム４３内に光が入射するのを確実に防いでいる。
【００６４】
したがって、本実施形態のカラー液晶ディスプレイ４００によれば、バックライト３１から出射された光が表面フィルム４３内を透過する間に、隣接画素を構成する光との混合による隣接画素との混色を確実に防止しつつ、画素間の隙間が拡大するのを防止することができる。また、同一画素を構成する光同士をより均一に混合させることができるので、第３実施形態と比べて画像を目視した際の画質を一層向上させることができる。
【図面の簡単な説明】
【００６５】
【図１】第１実施形態のカラー液晶ディスプレイの概略構成を表す断面図である。
【図２】第２実施形態のカラー液晶ディスプレイの概略構成を表す断面図である。
【図３】第３実施形態のカラー液晶ディスプレイの概略構成を表す断面図である。
【図４】第４実施形態のカラー液晶ディスプレイの概略構成を表す断面図である。
【符号の説明】
【００６６】
１００，２００,３００，４００  カラー液晶ディスプレイ
１，１１  液晶パネル
１ａ，１ｂ  パネル層
２  カラーフィルタ
２ａ  支持部材
２ｂ  サブピクセル
３，３１  バックライト
３ａ  サーキュラープリズムシート
３ｂ  導光板
３ｃ  反射シート
４，４１，４２，４３  表面フィルム
５  凸面部
６  集光レンズ
７  中間拡散層
８  表面拡散層
９，９１  光吸収部
１０  基板
５１  凹面部
【図１】
2007199510.tif 000003
【図２】
2007199510.tif 000004
【図３】
2007199510.tif 000005
【図４】
2007199510.tif 000006